(57)【要約】      （修正有）【課題】名前を思い出せず、最近電話もかけていないし、かかってもきていないというような相手であっても効率よく電話帳検索を行う電話帳検索装置を提供する。【解決手段】少なくとも１つの電話番号と、少なくとも１つの名前と、少なくとも１つのその他の相手先の特徴を表す個別情報とを対応づけて、複数組記憶する電話帳ファイル１７１と、少なくとも電話帳ファイル１７１に含まれている個別情報をキーワード化して記憶する特徴キーワードファイル１７３と、通信の日時を表す情報を記憶する通信履歴ファイル１７４と、特徴キーワードファイル１７３の記憶内容に関する条件と、通信時期を特定する条件とを満たす電話番号を、通信履歴ファイル１７４及び特徴キーワードファイル１７３に対する検索結果から取得する電話帳検索装置である。【選択図】図１
2012089974.tif 000002
【特許請求の範囲】
【請求項１】
少なくとも１つの電話番号又は電子メールアドレスと、少なくとも１つの呼称と、少なくとも１つのその他の個別情報とを対応づけて、複数組記憶する電話帳記憶手段と、
少なくとも前記電話帳記憶手段に含まれている個別情報をキーワード化して記憶する特徴記憶手段と、
前記電話番号又は電子メールアドレスを用いた通信の日時を表す情報を記憶する通信日時記憶手段と、
前記特徴記憶手段の記憶内容に関する条件と、通信時期を特定する条件とを満たす電話番号又は電子メールアドレスを、前記通信日時記憶手段及び前記特徴記憶手段に対する検索結果から取得する検索手段と
を備えることを特徴とする電話帳検索装置。
【請求項２】
顔を写した画像データを、前記電話帳記憶手段に記憶されている複数の前記電話番号又は電子メールアドレスに対応づけて複数記憶する顔画像データ記憶手段を備え、
前記特徴記憶手段が、前記顔画像データ記憶手段に記憶されている画像データから顔の特徴を抽出した結果をキーワード化して記憶する
ことを特徴とする請求項１に記載の電話帳検索装置。
【請求項３】
前記検索手段に対する各条件の設定が、音声認識処理によって行われる
ことを特徴とする請求項１又は２に記載の電話帳検索装置。
【請求項４】
少なくとも１つの電話番号又は電子メールアドレスと、少なくとも１つの呼称と、少なくとも１つのその他の個別情報とを対応づけて、複数組記憶する電話帳記憶手段と、
少なくとも前記電話帳記憶手段に含まれている個別情報をキーワード化して記憶する特徴記憶手段と、
前記電話番号又は電子メールアドレスを用いた通信の日時を表す情報を記憶する通信日時記憶手段と
を用い
前記特徴記憶手段の記憶内容に関する条件と、通信時期を特定する条件とを満たす電話番号又は電子メールアドレスを、前記通信日時記憶手段及び前記特徴記憶手段に対する検索結果から取得する
ことを特徴とする電話帳検索方法。
【請求項５】
少なくとも１つの電話番号又は電子メールアドレスと、少なくとも１つの呼称と、少なくとも１つのその他の個別情報とを対応づけて、複数組記憶する電話帳記憶手段と、
少なくとも前記電話帳記憶手段に含まれている個別情報をキーワード化して記憶する特徴記憶手段と、
前記電話番号又は電子メールアドレスを用いた通信の日時を表す情報を記憶する通信日時記憶手段と
を用い
前記特徴記憶手段の記憶内容に関する条件と、通信時期を特定する条件とを満たす電話番号又は電子メールアドレスを、前記通信日時記憶手段及び前記特徴記憶手段に対する検索結果から取得する
ことをコンピュータによって実行させるための電話帳検索プログラム。
【発明の詳細な説明】
【技術分野】
【０００１】
本発明は、携帯電話機等の端末において電話帳を検索する際に用いて好適な電話帳検索装置、電話帳検索方法及び電話帳検索プログラムに関する。
【背景技術】
【０００２】
近年、携帯電話機の電話帳に登録できる件数が増えており、一度電話帳に登録したら、削除する行為をせずに、次々と追加登録することが一般的である。これにより、誰を登録しているのか、誰を登録していないのか、わからなくなり、把握できないほど電話帳登録件数が増えてしまう場合がある。また１件の電話帳自体に登録できる項目も増えており、登録した相手の個人情報などを追記するユーザも多い。特に写真を電話帳に紐付けることは日常的に行われており、写真から相手を特定することも可能である。このように電話帳に登録する件数が多いと、久々に電話したい相手を検索することができなくなったり、検索するための操作数や時間がかかったりすることが日常である。例えば、電話帳に登録した名前が、氏名ではなく登録当時の一時的なニックネームだったりすると、氏名で検索してもヒットせず、当時のニックネームが思い出せない場合もあることから、検索することができなくなる。
【０００３】
携帯電話機内の電話帳検索は、「名前」「フリガナ」「電話番号」「アドレス」「グループ」を検索キーとするものなどが主である。「名前」「フリガナ」「電話番号」「アドレス」による検索では、名前、フリガナ、電話番号、アドレスの文字または数字の先頭の一部分等を入力することで該当する登録相手を検索する。また、「グループ」による検索では、指定したグループに属する登録相手のみに対象を限定して一覧表示が行われる。「名前」あるいは「フリガナ」による場合、名前を思い出せないときなどには検索できないため、例えば膨大な登録数の電話帳から「全検索」（すなわち全件表示）で該当する相手を探すことしかできなかった。その際も、名前が思い出せないため、それらしき名前を見つけて、電話帳登録詳細画面の顔写真やメモ記録を参照して確定する必要があり、時間がかかる作業であった。
【０００４】
以下、本発明の背景となる先行技術文献について述べる。特許文献１の「カード発行装置」では、予め顧客の顔面の特徴情報を記憶しており、再契約しようとするユーザに対して、ビデオカメラなどによって抽出した顔面の特徴が過去の登録情報と一致しているかどうかが比較される。この装置の登録情報は、予め手入力で作成する必要があるため、自動で登録情報一覧を生成する機能は備えられていない。
【０００５】
特許文献２の「人物識別管理システム」では、カメラなどから入力した画像データから抽出した顔特徴データと、予め登録していた画像データベースを比較して、一致した人物の識別情報を画面に表示する機能を特徴としている。このシステムは、以前会ったことがある人と出会った際に、その人を思い出すための仕組みとして情報表示させることを目的としている。そのため、このシステムは、識別情報比較する相手が近くにいないと、人物識別を実行しないシステムである。
【０００６】
特許文献３の「携帯通信端末」では、予め顔特徴点を電話帳に登録し、街で出会った人の名前が出てこない場合に、カメラ撮影して、携帯電話機内の電話帳の顔特徴点と比較を行い、人物を特定し、知らせることを特徴としている。この端末では、対象人物をカメラで撮影しないと比較できないため、該当人物が近くにいることが条件である。よってこの端末では、近くにはいない人を電話帳から捜し当てることはできない。        
【０００７】
特許文献４の「似顔絵画像を形成するシステム及び形成方法」では、元の画像データを解析し、顔の構成部位から特徴を抽出して、特徴データベースを作成するシステムを構成している。このシステムを用いることにより、写真データを解析して、顔パーツの特徴から特徴データベースを自動で作成することが可能になった。下記で説明する本発明の実施形態では、特徴データベースを自動で作成できることを既知の技術として用いることにより、より簡単に検索したい相手を絞り込むことを特徴としている。
【０００８】
特許文献５の「自然言語型検索支援装置及び方法」では、自然言語を用いて検索条件を入力する工程と、入力した検索条件を分解・解析して、検索に用いるキーワードとして抽出する工程を有することを特徴としている。
【０００９】
特許文献６の「情報配信システム」では、ユーザ情報蓄積手段に、ユーザＩＤ（アイディー）、顔面特徴点に係る情報、ユーザの属性情報（名前、性別、年齢など）を関連づけて登録しておき、撮影された映像に登録されたユーザが映っていた場合、特定の情報が配信される。
【００１０】
特許文献７の「携帯機器」では、電話帳検索において、あらかじめ登録された、家族、友人、仕事、男、女、メル友、自社、他社、大学、サークル等の複数の検索情報（すなわち属性情報）から、複数が選択された場合に、検索情報をすべてを満足する通信先が検索される。
【００１１】
特許文献８の「電話帳データ並べ替え装置」では、最終発信時刻、最終着信時間および最終更新時刻の情報に基づいて、電話帳データの３種類の並べ替え処理が実行される。
【００１２】
特許文献９の「通信装置」では、通信履歴情報が示す通信相手毎の通信実施回数に基づいて決定された順序で名称情報が一覧表示される。
【先行技術文献】
【特許文献】
【００１３】
【特許文献１】特開平１１−１５４２３４号公報
【特許文献２】特開平１１−２９６６７４号公報
【特許文献３】特開２００９−１０５６５２号公報
【特許文献４】特開２０００−１５５８３６号公報
【特許文献５】特開２００１−０３４６１４号公報
【特許文献６】特開２００６−２９３９２４号公報
【特許文献７】特開２００５−２７８０４８号公報
【特許文献８】特開２００５−１２３７９３号公報
【特許文献９】特開２０１０−２０００９５号公報
【発明の概要】
【発明が解決しようとする課題】
【００１４】
特許文献１〜４のように、顔識別機能の判別演算精度は向上し、多少の角度の違いや、身に着けているものに差異があっても、容易に判別し、それぞれの特徴を抽出できるほどの処理機能の手段が色々と提案されてきた。そして、抽出したデータをデータベース化し、人物識別情報を付加する機能も権利化されており、このような技術にて、顔特徴検出から人物識別比較までが可能になった。
【００１５】
しかし、特許文献１〜４や特許文献６〜９に記載されているような技術だけでは、検索対象が「顔特徴情報」や「個人情報」しかないため、登録された顔特徴情報や個人情報から検索するしかないという不便な点があった。
【００１６】
ところで、電話をかけようと思ったときに、ふと名前が出てこないという現象はよく起こる。年齢層が高ければ、その頻度は高まるが、若年層でも度忘れしてしまうことは、よくある。そんなときに名前が出てこないから電話しないということにはせず、電話帳や電話の履歴などから、必死に記憶を手繰り寄せて探そうとすることもある。運よく電話をかけたばかりの相手なら、発信履歴からすぐに探せるだろうし、昨夜電話がかかってきたばかりの相手なら、着信履歴から見つけることができる。また電話帳から検索する場合、たまたま電話をかけたい相手の苗字が「あ行」なら、すぐに探せるかもしれない。逆に言えば、最近は電話もかけていないし、かかってもきていないけど、急に電話する必要ができたが、顔や特徴は覚えていても、相手の名前が思い出せない場合は、電話帳を端から順に探さなくてはならない。電話帳登録件数が増えた昨今の携帯電話機では、電話する相手を絞込み検索する機能は必須であるとも言える。いかに早く相手に辿り着けるかが重要である。辿り着くための情報データベースがあると、利用価値は高いと思われる。
【００１７】
本発明は、上記のような事情を考慮してなされたものであり、例えば名前を思い出せず、最近電話もかけていないし、かかってもきていないというような相手であっても効率よく電話帳検索を行うことができる電話帳検索装置、電話帳検索方法及び電話帳検索プログラムを提供することを目的とする。
【課題を解決するための手段】
【００１８】
上記課題を解決するため、本発明は、少なくとも１つの電話番号又は電子メールアドレスと、少なくとも１つの呼称と、少なくとも１つのその他の個別情報とを対応づけて、複数組記憶する電話帳記憶手段と、少なくとも前記電話帳記憶手段に含まれている個別情報をキーワード化して記憶する特徴記憶手段と、前記電話番号又は電子メールアドレスを用いた通信の日時を表す情報を記憶する通信日時記憶手段と、前記特徴記憶手段の記憶内容に関する条件と、通信時期を特定する条件とを満たす電話番号又は電子メールアドレスを、前記通信日時記憶手段及び前記特徴記憶手段に対する検索結果から取得する検索手段とを備えることを特徴とする。
【発明の効果】
【００１９】
本発明によれば、検索手段によって、ユーザによって設定された特徴記憶手段の記憶内容に関する条件と、通信時期を特定する条件とを満たす電話番号又は電子メールアドレスが検索される。したがって、例えば、検索の際、ユーザが思いついた相手先の個別情報と、電話がかかってきたあるいは電話をかけた時期とを設定することで、該当する相手先を検索することができる。よって、名前が思い出せず、最近通信がなかったような相手に対しても、効率よく電話帳検索を行うことができる。
【図面の簡単な説明】
【００２０】
【図１】本発明による電話帳検索装置の一実施の形態を携帯電話機内に実現する場合の構成例を示すブロック図である。
【図２】図１の表示部１２による電話帳１件分の内容表示例を示す図である。
【図３】図１の特徴キーワードファイル１７３の一部分の構成例を示す図である。
【図４】図１の通信履歴ファイル１７４の一部分の構成例を示す図である。
【図５】図１の通信履歴ファイル１７４の他の一部分の構成例を示す図である。
【図６】図１の表示部１２による電話帳検索メニュー画面の表示例を示す図である。
【図７】図１の携帯電話機１における処理の流れの第１の動作例を示すフローチャートである（ただし図７〜図９で１つのフローチャートを示す）。
【図８】図１の携帯電話機１における処理の流れの第１の動作例を示すフローチャートである（ただし図７〜図９で１つのフローチャートを示す）。
【図９】図１の携帯電話機１における処理の流れの第１の動作例を示すフローチャートである（ただし図７〜図９で１つのフローチャートを示す）。
【図１０】図１の携帯電話機１における処理の流れの第２の動作例を示すフローチャートである（ただし図１０〜図１２で１つのフローチャートを示す）。
【図１１】図１の携帯電話機１における処理の流れの第２の動作例を示すフローチャートである（ただし図１０〜図１２で１つのフローチャートを示す）。
【図１２】図１の携帯電話機１における処理の流れの第２の動作例を示すフローチャートである（ただし図１０〜図１２で１つのフローチャートを示す）。
【発明を実施するための形態】
【００２１】
以下、本発明の実施の形態について図面を参照して説明する。図１は、本発明による電話帳検索装置を携帯電話機１内で実現する場合の構成の一例を示すブロック図である。本発明による電話帳検索装置は、携帯電話機１内のＣＰＵ（中央処理装置）、そのＣＰＵの周辺装置およびそのＣＰＵによって実行されるプログラムを用いて構成することができる。図１は、それらのハードウェアとプログラム（ソフトウェア）とによって実現される構成を機能毎にいくつかのブロックに分けて表したものである。
【００２２】
なお、本発明の電話帳検索装置は、携帯電話機内で実現する場合に限らず、携帯情報端末、パーソナルコンピュー等の他の端末内に実現してもよい。また、本発明の電話帳検索装置は、プログラム（あるいは他のプログラムに部分として含まれるもの）として構成し、所定の記憶媒体や通信回線を介して提供することも可能である。
【００２３】
図１の携帯電話機１は、処理部１１、表示部１２、操作部１３、撮影部１４、通信部１５、音声入出力部１６および記憶部１７を備えて構成されている。処理部１１は、ＣＰＵ、メモリ等から構成され、所定のプログラムを実行することで顔認識処理１１１、音声認識処理１１２、特徴検索処理１１３、音声合成処理等の各処理を行うとともに、他の各部の制御を行う。表示部１２は、ディスプレイ装置等から構成されていて、文字や画像を表示する。操作部１３は、カーソルキー、テンキー、タッチパネル等から構成されていて、ユーザの操作に応じた所定の信号を出力する。撮影部１４は、レンズ、撮像素子、信号処理装置等から構成されていて、ユーザによる操作部１３に対する所定の操作に応じて、画像を撮影する。通信部１５は、無線通信によって所定の無線基地局と接続し、通話や通信のための信号を送受信する。音声入出力部１６は、マイク、スピーカ等から構成されていて音信号と電気信号とを変換する。記憶部１７は、不揮発性のメモリ等から構成されている。この記憶部１７には、電話帳ファイル１７１、写真ファイル１７２、特徴キーワードファイル１７３、通信履歴ファイル１７４等が記憶される。
【００２４】
顔認識処理１１１は、例えば特許文献４に記載されているような既知の顔認識あるいは顔識別アルゴリズムを用いて、写真ファイル１７２に格納されている各相手先の顔写真等の画像データの認識処理を行う。顔認識処理１１１では、例えば、肌が白い、目が細い、鼻が大きい、髪の長さが短髪であるといった特徴点を相手先毎に抽出する。この顔認識処理１１１で抽出された各特徴点は、特徴検索処理１１３において用いられるキーワードの候補となるものであって、特徴キーワードファイル１７３内に相手先毎にまとめて記憶される。
【００２５】
音声認識処理１１２は、音声入出力部１６から入力されたユーザの発声音を認識する。音声認識処理１１２の認識結果によって、検索方法の指示や、検索条件の設定などが行われる。
【００２６】
特徴検索処理１１３は、相手先の顔の特徴点の情報や電話帳に登録された個人情報（＝個別情報）、電話や電子メールの通信履歴に関する情報をキーワードとして、特徴キーワードファイル１７３及び通信履歴ファイル１７４（並びに電話帳ファイル１７１）を検索し、キーワードに該当する１又は複数の相手先を検索結果として取得する。
【００２７】
電話帳ファイル１７１は、各相手先について名前（呼称）や電話番号、電子メールアドレス等の複数の項目を記憶するファイルである。図２は、電話帳ファイル１７１に登録されている１つの相手先について表示した場合の詳細表示画面２０の一例を示している。図２に示す画面２０には、電話帳ファイル１７１内の１つの相手先についての各項目の表示２１に加え、その相手先に対応する写真ファイル１７２内の１つの画像データ（写真画像）の表示２２が含まれている。ただし、図２は、電話帳ファイル１７１内の１つの相手先について登録された複数の項目の一部を表示したものである。
【００２８】
図２に示すように、電話帳ファイル１７１内には、互いに対応づけられた、姓を表す項目２０１、名を表す項目２０２、グループ名を表す項目２０３、携帯電話番号を表す項目２０４、自宅電話番号を表す項目２０５、勤務先電話番号を表す項目２０６、携帯電子メールアドレスを表す項目２０７、住所を表す項目２０８、生年月日を表す項目２０９、趣味等のメモを表す項目２１０、各相手先に固有の識別番号を表す項目２１１等が含まれている。また、この実施形態では、図２に示す項目以外に、相手の年代等の項目も電話帳ファイル１７１内に格納されていることとしている。なお、この表示２２の画像データは、電話帳ファイル１７１内で表示２１の各項目のものと同一の識別番号に対応づけて電話帳ファイル１７１内に登録されているものである。また、この例では姓「てすと」名「たろう」さんの識別番号が「０３９」であるとしている。
【００２９】
写真ファイル１７２は、複数の相手先に対応する顔等を写した各画像データを記憶するファイルである。この写真ファイル１７２には、電話帳ファイル１７１内で対応する相手先の識別番号の項目２１１と、例えば撮影部１４で撮影した顔の画像データとが対応づけて記憶されている。
【００３０】
特徴キーワードファイル１７３は、図３に示すように、各相手先について、写真ファイル１７２内の画像データに対して顔認識処理１１１による認識の結果として得られた複数の特徴点を示す各項目と、電話帳ファイル１７１内のすべての項目とを、キーワード化したものを記憶する。ここで、キーワード化とは、例えば文章を単語に分ける等の単純化を行うことなど（あるいは変換を行わずにそのままで）、元の項目の内容から有効な検索用の鍵すなわちキーワードを作成する処理である。この特徴キーワードファイル１７３における各項目は、項目名と項目の内容等とが検索可能な形態にデータベース化されていて、特徴検索処理１１３における検索のキーワードの候補となる。
【００３１】
図３は、特徴キーワードファイル１７３内の１つの相手先について登録された複数の項目のリスト１７３１を示している。特徴キーワードファイル１７３の各項目は、項目名、項目の内容、そして特徴検出元から構成されている。特徴検出元は、各項目の検出元が、顔認識処理１１１による認識結果の特徴点からである場合が「写真」、電話帳ファイル１７１からである場合が「電話帳」となる。なお、特徴キーワードファイル１７３内の項目は、ユーザによって編集（追加、修正等）できるようにしてもよく、その場合には、編集された項目については検出元を「編集」とする。
【００３２】
図３に示す例は、電話帳ファイル１７１内の識別番号が「０３９」の「てすとたろう」さんについて記憶されている複数の項目からなるリスト１７３１の一例である。電話帳ファイル１７１に対応付けを登録した写真ファイル１７２内の「てすと」さんの顔写真から、顔特徴点を表す特徴キーワードを抽出し、特徴検出元を「写真」としてリスト１７３１に付加している。この場合、「てすと」さんの特徴検出結果は、「性別」「肌色」「目」「鼻」「口」「髪色」「髪の長さ」「体型」「めがね」など、ぱっと見て分かる特徴についてリストに情報を記載している。また電話帳に登録した「てすと」さんの情報もリスト１７３１に特徴検出元を「電話帳」として付加することにより、特徴キーワードの情報は充実する。
【００３３】
図３に示す例では、特徴キーワードファイル１７３内に、電話帳ファイル１７１の識別番号「０３９」に対応する項目名、内容および特徴元が、次のように登録されている。電話帳を特徴検出元とする各項目として、（項目名、内容、特徴検出元）の順で、（苗字、てすと、電話帳）、（名前、たろう、電話帳）、（年代、４０代、電話帳）、（会社、川崎市中原区、電話帳）、（自宅、川崎市中原区、電話帳）、（趣味、アウトドア、電話帳）、（誕生日、１９６５．４．１、電話帳）、（自宅電話、あり、電話帳）、（携帯電話、あり、電話帳）、（会社電話、あり、電話帳）、（自宅ＰＣアドレス、あり、電話帳）、（携帯アドレス、あり、電話帳）、（会社アドレス、あり、電話帳）、（会社名、△△△、電話帳）、および（グループ、会社同僚、電話帳）が登録されている。そして、顔特徴点に対応する各項目として、（項目名、内容、特徴検出元）の順で、（性別、男性、写真）、（肌色、白い、写真）、（目、細い、写真）、（鼻、大きい、写真）、（口、薄い、写真）、（髪色、茶色、写真）、（髪の長さ、短髪、写真）、（体型、細身、写真）、および（めがね、あり、写真）が登録されている。
【００３４】
なお、上記の項目は一例であって、例えば性別については電話帳から検出したり、年代については写真から検出したり、あるいは両方から同一の項目を検出できるようにしたりすることができる。ただし、両方から同一の項目を検出できるようにする場合には例えば電話帳からの内容を優先するなどの設定をしておくようにする。
【００３５】
また、本発明による特徴検索についてより一般化して説明すると次のようになる。すなわち、電話帳編集で登録した個人情報は、すべてキーワード化し、特徴キーワードファイル１７３内のデータベースに集めて、「特徴検索の候補内容」とされる。一方、電話帳に紐付けた顔写真から得られる特徴について情報は、既知の「顔認識処理」「顔識別処理」を用いて特徴点を抽出し、さらにキーワード化し、特徴キーワードファイル１７３内のデータベースに登録して、個人情報とともに「特徴検索の候補内容」とされる。すなわち、図３に示す識別番号「０３９」の「てすと」さんの項目のリスト１７３１のように、検索のキーワードとなる各項目が、特徴キーワードファイル１７３内で一元管理される。このとき各項目が、「顔認識処理」「顔識別処理」を用いて解析した結果なのか、電話帳情報からそのまま情報をリスト化したものか、それとも後から編集したものか、検出元がわかるように内部管理する。ただし、キーワードは、特徴キーワードファイル１７３に一元管理する以外にも、複数のファイルに分散して管理してもよい。あるいは電話帳ファイル１７１に対して直接検索処理を行うようにしてもよい。
【００３６】
さらに、本実施形態の「特徴検索の候補」については、図３のリスト１７３１のような相手先ごとのデータベースリストだけではなく、図１の通信履歴ファイル１７４のような電話機内で管理している「通話履歴」なども「特徴検索の候補」として扱うようにしている。このように特徴検索候補を増やすことで、膨大な情報の中から、より確実に検索したい相手を絞り込むことができる。
【００３７】
通信履歴ファイル１７４は、複数の相手先について、音声通話の発信および着信履歴ならびに電子メールの送信および受信履歴を記憶するファイルである。図４は、通信履歴ファイル１７４内の電話帳ファイル１７１内の識別番号「０３９」についてのリスト１７４１の構成例を示している。この場合、リスト１７４１は、発信履歴のデータ（あるいは発信履歴のデータまたはファイルへのポインタ（以下同様））４１、着信履歴のデータ４２、送信履歴のデータ４３および受信履歴のデータ４４から構成されている。図５（ａ）に発信履歴のデータ４１の一例を、図５（ｂ）に着信履歴のデータ４２の一例を示した。図５（ａ）に示す識別番号「０３９」の発信履歴のデータ４１には、携帯電話機１のユーザが識別番号「０３９」の電話番号に対して発信したすべての日時（年月日時分）のデータが含まれている。また、図５（ｂ）に示す識別番号「０３９」の着信履歴のデータ４２には、携帯電話機１のユーザが識別番号「０３９」の電話番号から受信したすべての日時（年月日時分）のデータが含まれている。ただし、履歴として保持するデータ数は一定数を上限としてもよい。なお、送信履歴のデータ４３および受信履歴のデータ４４についても同様に送信および受信の日時（年月日時刻）をすべて含んでいる。
【００３８】
本発明の実施形態である携帯電話機１は、例えば電話をかけたい相手の名前を忘れてしまった場合に、電話帳から特徴検索処理１１３によって絞込み検索をすることにより、該当する１名をより早く、確実に絞込むことができるようにすることを特徴とする。例えば、検索したい相手について、名前は出てこないが、顔をはっきり覚えている場合は、顔の特徴点を携帯電話機１に入力することで、電話帳に登録した写真の特徴点の情報が登録されたデータベースを含む特徴キーワードファイル１７３から該当する相手を検索し、絞り込むことが可能である。写真の特徴データベース以外にも、電話帳に登録した該当者の個別情報なども特徴キーワードファイル１７３内に一覧としてまとめることで検索候補に含むことができる。また、通信履歴ファイル１７４内のデータを利用し、電話帳登録内容以外にも、検索候補として、「先週火曜に電話で話した人」「１か月くらい前にメールをくれた人」など、発着信履歴やメール送受信情報などもキーワードとして用いることで、該当者を早く絞り込むことが可能である。
【００３９】
図６は、電話帳検索処理時の表示部１２におけるメニュー画面の一例（画面５１）を示している。本発明の実施形態としての携帯電話機１では、電話帳に一般的に使われている電話帳検索手段である「名前検索」「フリガナ検索」「電話番号検索」「アドレス検索」「グループ検索」の各項目以外に、「特徴検索」の項目５１１が追加されている。
【００４０】
次に、図７〜図９を参照して、図１の携帯電話機１の第１の動作例について説明する。本携帯電話機１の電話帳は、図６のように、いくつかの検索手段を有しており、ユーザが検索しやすい方法で検索を実行することができる。例えば、検索したい相手がいるが、どうしても名前を思い出すことができない。しかし、相手を特定する必要がある場合、電話帳検索画面５１を開き（図７のステップＳ１０１、Ｓ１０２）、「（９）特徴検索」５１１を選択する（ステップＳ１０３）。ただし、ステップＳ１０１はユーザによるより上位の画面が表示された状態での操作部１３における「電話帳検索」の選択入力、ステップＳ１０２は表示部１２での画面５１の表示処理にそれぞれ対応している。
【００４１】
ステップＳ１０３で「（９）特徴検索」５１１が選択されると、特徴検索処理１１３によって検索条件の入力画面６１が表示部１２に表示され、ユーザの操作部１３に対する操作に応じて検索条件が設定される（ステップＳ１０４）。図７では、ステップＳ１０４のブロック内に、特徴検索処理１１３における検索条件の入力画面６１が示されている。この画面６１には、検索条件の入力ボックス６１１と、検索実行ボタン６１２と、検索中止ボタン６１３とが含まれている。特徴検索を実施する際は、キーワードを入力する仕組みなので、ユーザは、検索したい相手の特徴を思い出し、例えば入力ボックス６１１に「４０代の男性でめがねをかけている」と入力する。
【００４２】
次に、ユーザが検索実行ボタン６１２を選択すると（ステップＳ１０５）、特徴検索処理１１３によって検索処理と検索結果の表示処理が行われる（ステップＳ１０６）。ステップＳ１０６では、特徴検索処理１１３が、既知の検索技術を用いて、キーワード検索を実行する。この場合、特徴キーワードファイル１７３から、「４０代」「男性」「めがね」で引っかかる候補を抽出する。例えば電話帳に登録した相手先で、「４０代」「男性」「めがね」に該当する人が、１２０名抽出できたとすると、ステップＳ１０６内の画面６２のように候補者数の表示と、次の処理内容の選択を求める表示として、写真一覧ボタン６２１と絞込み検索ボタン６２２とが表示される。写真一覧ボタン６２１が選択された場合には、表示部１２において候補者すべての写真が（複数画面に分けて）表示される。この場合、ユーザが、１２０名は多すぎるため、絞込み検索を選択することとして絞込み検索ボタン６２２を選択したとすると（ステップＳ１０７）、再度、検索したい相手の特徴キーワードを入力する画面６１が表示される（図８のステップＳ１０８）。
【００４３】
顔の特徴や趣味などのキーワードから抽出することも可能だが、「そうだ、先週電話したばかりだった」と思い出し、ユーザが入力ボックス６１１に「先週、電話をかけた人」と入力し（ステップＳ１０８）、検索実行ボタン６１２を押下したとする（ステップＳ１０９）。
【００４４】
ここで、特徴検索処理１１３において、通信履歴ファイル１７４内で、例えば候補者１２０人分の通信履歴１７４１の発信履歴４１に対し、先週の発信履歴がある候補者が検索される。最初の検索で抽出した１２０名のうち、それぞれの発信履歴４１に先週の発信履歴が残っている人が、１５名抽出されたとすると、その旨の検索結果（画面６２）が表示される（ステップＳ１１０）。ここで、ユーザが、絞込みキーワード検索をやめて、写真候補から選択することとして、ステップＳ１１０の画面６２で写真一覧ボタン６２１が選択されたとすると（ステップＳ１１１）、表示部１２において候補者１５名の顔写真が一覧で表示される（図９のステップＳ１１２）。この例では、ステップＳ１１２の写真一覧表示画面６３に、候補者１５人のうちの１０人分に対応する写真画像６３１が表示されている。
【００４５】
ユーザが、その顔写真から、探していた人の顔を発見したら（すなわち、検索したい相手が特定できたら）、その発見した人の写真画像６３２（あるいはテンキーから「８」）を選択する（ステップＳ１１３）。ステップＳ１１３で写真画像６３２が選択されると、表示部１２において、その人物の電話帳詳細画面２０が表示される（ステップＳ１１４）。
【００４６】
これら一連の流れにより、探したい相手を、電話帳内で持つ情報の全てを用いて検索することができる。
【００４７】
次に、本発明の他の実施形態（第２の動作例）について、図１０〜図１２を参照して説明する。上記実施形態（第１の動作例）では、図１の携帯電話機１において、操作部１３を操作して条件の入力等を行うことで特徴検索を実施して、検索したい相手を絞り込む際の動作を説明したが、以下で説明する他の実施形態では、音声認識処理１１２を行うことで、音声入力機能を用いて、特徴検索処理１１３による特徴検索と、電話発信できる機能を実施する。
【００４８】
ユーザが所定の操作を行うことでまず音声認識処理１１２を起動して、音声入出力部１５のマイクに対してユーザが「電話をかけたい」と声に出したとすると（図１０のステップＳ２０１）、相手先の指定を求める表示画面７１の表示が表示部１２で行われる（ステップＳ２０２）。この例では、表示画面７１には、“名前がわかる場合は、「相手の名前」を言ってください。名前がわからない場合は、「検索する」と言ってください。”と表示される（さらに設定に応じて音声合成処理によって音声入出力部１６から同じ文章が読み上げられるようにしてもよい（以下、同様））。
【００４９】
例えば電話したい相手の名前がすぐに思い出せるなら、相手の名前を声に出すだけで、発信のための必要な情報が画面に表示されるが、今回に限っては、名前を思い出せないため検索する必要があったとする。そのため、ユーザが「検索する」と発声し、特徴検索処理１１３を選択したとする（ステップＳ２０３）。特徴検索処理１１３は、ここで相手の特徴の入力を求める旨の表示を行う（ステップＳ２０４）。ステップＳ２０４では、例えば、“相手の特徴は？  キーワードから選択しますので、特徴を言ってください。”という表示を含む表示画面２０４が出力される。これに対してユーザが、検索するための情報として、キーワードを入力するため、今回の検索対象者で覚えている印象から「４０代の男性でめがねをかけている」と音声で入力したとする（ステップＳ２０５）。
【００５０】
次に、音声認識処理１１２によって入力された音声からキーワードが設定され、特徴検索処理１１３による既知の検索技術を用いたキーワード検索が特徴キーワードファイル１７３に対して実行され、その結果が表示部１２に表示される（ステップＳ２０６）。この例では、音声認識処理１１２による認識の結果、「４０代」「男性」「めがね」のキーワードが設定され、特徴検索処理１１３によって、特徴キーワードファイル１７３から「４０代」「男性」「めがね」で引っかかる候補が１２０人抽出されたとする。ステップＳ２０６で、電話帳に登録した人物で、「４０代」「男性」「めがね」に該当する人が、１２０名抽出されたとすると、表示部１２では、その検索結果が表示されるとともに、写真一覧と絞込み検索のどちらを選択するかの入力を求める表示がなされる。
【００５１】
この場合、ユーザが、１２０名は多すぎるため、絞込み検索を選択しようと考え、「絞り込み」と発声したとすると（ステップＳ２０７）、表示部１２では画面７４が表示され、再度、検索したい相手のキーワードの入力を促す表示がなされる（図１１のステップＳ２０８）。
【００５２】
ここで、ユーザが、顔の特徴や趣味などのキーワードから抽出することも可能だが、「そうだ、先週電話したばかりだった」と思い出し、「先週、電話をかけてきた人」と音声入力したとする（ステップＳ２０９）。ここで、特徴検索処理１１３において、通信履歴ファイル１７４内で候補者１２０人分の通信履歴１７４１における各着信履歴４２に対して検索処理を行うことで、先週の着信履歴がある候補者が検索される。例えば、最初の検索で抽出した１２０名のうち、着信履歴４２に先週の着信履歴が残っている人が、１５名抽出されたとすると、その旨の検索結果（画面７５）が表示される（ステップＳ２１０）。
【００５３】
ここで、ユーザが、最初の検索で抽出できた１２０名のうち先週の着信履歴が残っている人が１５名抽出できたので、絞込みキーワード検索をやめて、写真候補から選択することにし、「写真一覧」と発声したとすると（ステップＳ２１１）、表示部１２において候補者１５名の顔写真が一覧で表示（さらに選択された候補者の名前や顔の特徴点についての情報が読み上げられる）される（図１２のステップＳ２１２）。この例では、ステップＳ２１２の写真一覧表示画面７６に、候補者１５人のうちの１０人分に対応する写真画像が表示されている。
【００５４】
ユーザが、一覧から、探していた人の顔を見つけて、その写真の人物の表示番号「（８）」発声したとすると（ステップＳ２１３）、特徴検索処理１１３によって、表示部１２においてその人物の発信画面７７が表示される（ステップＳ２１４）。ここで、発信キーが押下されると（あるいは「発信」と発声されると）、通信部１５によってその電話番号への発信が開始される。
【００５５】
なお、音声認識処理１１２では、特許文献５に記載されているような、自然言語を用いて検索条件を入力する工程と、入力した検索条件を分解・解析して、検索に用いるキーワードとして抽出する工程とによって音声認識を行うことができる。この場合、検索対象を音声で入力する際に、「４０代」「男性」「めがね」と個々に条件を設定する必要がなくなる。例えば「たしか４０代の男性だった。そしてめがねをかけていた」というように声を発することにより、検索条件を音声認識処理１１２において分解／解析するようにすれば、ユーザが何度も単語を声にだしたり、繰り返したりする必要がない。
【００５６】
この特許文献５に記載されているような音声認識からのキーワード抽出機能を用いることにより、絞込み検出のキーワード比較（すなわち異なるキーワードによる複数回の検索の実行と検索結果の比較）を容易に行うことができる。よって、本実施形態の特徴である、携帯電話機内で保有する情報全てをキーワードとして、絞込み検索用のキーワード候補を豊富に用意するような場合であっても、より確実により早く、該当者を探し、発信することを可能にできる。
【００５７】
なお、本検索機能は、ネットワークサーバを介すことが無いため、例えば、ネットワーク圏外の場所であっても実行できることから、電話をかけるわけではないが、探したい相手がいる場合などは、利用効果が高い。
【００５８】
以上のように、上記実施形態は、電話をかけたい相手の名前が出てこない場合に、電話帳検索から個人情報などのキーワードから絞込みを行い、該当する人物を特定できることを特徴としている。名前や写真から探すのではなく、電話帳から覚えている特徴や、先週電話したなどの情報から検索することができる。
【００５９】
また、上記本実施形態において、特徴検索では、電話帳に紐付いた個人情報（写真情報も含む）をキーワード化してデータベースにした情報から絞込み検索を実行して、該当する人物を特定できるようにした。電話帳に登録した写真の特徴を細分化してキーワードにするだけではなく、電話帳に登録した「誕生日」「趣味」「会社名」など、キーワード化したデータは全て、特徴キーワードファイル１７３内に検索候補としてリスト化する。電話帳登録内容以外にも、発信／着信履歴や送信／受信履歴から、「１週間以内に電話をかけた人」「１か月以上メールを送っていない人」なども、検索候補として、絞込みができる仕組みを持つことにより、携帯電話機内で持つ情報全てが検索候補となり、柔軟な検索ができる上に、絞込みもしやすいため、検索のための操作数をより少なく、かつ確実に検索できる。
【００６０】
本発明の実施の形態は、上記の形態に限定されず、例えば、図１のブロック図において、各ブロックやその内部ブロックをさらに分割したり、あるいは複数のブロックを統合したりする変形などを適宜行うことができる。
【００６１】
なお、特許請求の範囲と上記実施の形態の各構成の対応は次のとおりである。「電話帳記憶手段」は電話帳ファイル１７１に、「特徴記憶手段」は特徴キーワードファイル１７３に、「通信日時記憶手段」は通信履歴ファイル１７４にそれぞれ対応している。「検索手段」は特徴検索処理１１３に対応している。「顔画像データ記憶手段」は写真ファイル１７２に対応している。
【符号の説明】
【００６２】
１  携帯電話機
１１  処理部
１１１  顔認識処理
１１２  音声認識処理
１１３  特徴検索処理
１７  記憶部
１７１  電話帳ファイル
１７２  写真ファイル
１７３  特徴キーワードファイル
１７４  通信履歴ファイル
【図１】
2012089974.tif 000003
【図２】
2012089974.tif 000004
【図３】
2012089974.tif 000005
【図４】
2012089974.tif 000006
【図５】
2012089974.tif 000007
【図６】
2012089974.tif 000008
【図７】
2012089974.tif 000009
【図８】
2012089974.tif 000010
【図９】
2012089974.tif 000011
【図１０】
2012089974.tif 000012
【図１１】
2012089974.tif 000013
【図１２】
2012089974.tif 000014